(57)【要約】【課題】ベースを基準として構成部品を組み付けることができ、組立によるばらつきを大幅に減少させることができるレンズ駆動装置及びその製造方法を提供する。【解決手段】レンズ駆動装置１００は、レンズユニットを収納可能で、レンズユニットの光軸方向に沿って移動可能なホルダ１０３と、ホルダ１０３の外側に配設されたコイル１０５と、コイル１０５に磁界を提供する磁石１０２と、ホルダ１０３を支持する第１ばね１０４及び第２ばね１０６と、磁石１０２及び第１ばね１０４を支持するベース１０１とを備える。【選択図】図３
2015014796.tif 000002
【特許請求の範囲】
【請求項１】
支持基板としてのベースと、
このベースに対して位置決めして配置され、レンズユニットを内側に収納可能で、前記レンズユニットの光軸方向に沿って移動可能であり、前記ベースの側において外側に突出するようにフランジが設けられたホルダと、
このホルダの外側に対して配設されたコイルと、
このコイルの外側において、前記ベースに対して位置決めして配設され、前記コイルに磁界を提供する磁石と、
前記ホルダを支持し、前記ベースに対して外周側が配設され、前記ホルダのフランジに対して前記ベースの反対側に内周側が配設された第１ばねと、
この第１ばねと間隔をあけて配置され、前記ホルダを支持し、前記磁石に対して外周側が配設され、前記ホルダに対して内周側が配設された第２ばねと
を備えたことを特徴とするレンズ駆動装置。
【請求項２】
前記ホルダは、前記ベースの側において、外側に突出するように設けられた係止部を有し、
前記係止部は、前記ベースと前記磁石との間、又は、前記ベースと前記第１ばねの外周側との間に配置された
ことを特徴とする請求項１記載のレンズ駆動装置。
【請求項３】
前記第１ばね及び前記第２ばねは、前記ホルダを基準として位置決めされていることを特徴とする請求項１又は請求項２記載のレンズ駆動装置。
【請求項４】
前記コイルは、巻線部と、この巻線部と前記第１ばねとを電気的に接続する導電性プレートとを有することを特徴とする請求項１から請求項３のいずれか１に記載のレンズ駆動装置。
【請求項５】
磁気シールド又は防塵の少なくとも一方を目的とするカバーを備えたことを特徴とする請求項１から請求項４のいずれか１に記載のレンズ駆動装置。
【請求項６】
支持基板としてのベースに対して位置決めし、レンズユニットを内側に収納可能で、前記レンズユニットの光軸方向に沿って移動可能であり、前記ベースの側において外側に突出するようにフランジが設けられたホルダを配置するホルダ配置工程と、
ホルダ配置工程の後、前記ホルダを支持する第１ばねの外周側を前記ベースに対して配設すると共に、前記第１ばねの内周側を前記ホルダのフランジに対して前記ベースとは反対側に配設する第１ばね配設工程と、
前記第１ばね配設工程の後、前記ホルダの外側にコイルを配設するコイル配設工程と、
前記ベースに対して位置決めし、前記コイルの外側に位置するように、前記コイルに磁界を提供する磁石を配設する磁石配設工程と、
前記コイル配設工程及び前記磁石配設工程の後、前記ホルダを支持する第２ばねを第１ばねに対して間隔をあけて、外周側を前記磁石に対して配設すると共に、内周側を前記ホルダに対して配設する第２ばね配設工程と
を含むことを特徴とするレンズ駆動装置の製造方法。
【発明の詳細な説明】
【技術分野】
【０００１】
本発明は、携帯電話及びパソコン等のカメラ付小型電子機器に使用できるレンズ駆動装置に関する。
【背景技術】
【０００２】
携帯電話のカメラ等において、オートフォーカスを目的として光軸方向にレンズを移動させることができるレンズ駆動装置が用いられている。この種のレンズ駆動装置は、コイルに電流を流すことで発生する磁界と、永久磁石による磁界との相互作用によってレンズを移動させている。近年、携帯電話及びパソコン等のカメラに組み込まれているデジタル方式の撮像素子の高画素化に伴い、オートフォーカスの機能は一般的となっている。
【０００３】
従来のレンズ駆動装置としては、例えば、図９の分解斜視図に示したようなものが知られている（例えば、特許文献１参照）。このレンズ駆動装置２００は、概略、レンズユニット（図示せず）を収納するホルダ２０３と、ホルダ２０３に配設されたコイル２０４と、ホルダ２０３を弾性支持する第１ばね２０２及び第２ばね２０６と、第２ばね２０６の位置を決めるスペーサ２０７と、矩形状のベース２０１と、ヨーク２０８と、ヨーク２０８に配設された４個の磁石２０５とを備えている。
【先行技術文献】
【特許文献】
【０００４】
【特許文献１】特開２０１３−２５４１６４号公報
【発明の概要】
【発明が解決しようとする課題】
【０００５】
図１０は、図９に示したレンズ駆動装置２００の半製品を表しており、（ａ）はヨーク組立品２１１の斜視図、（ｂ）はホルダ組立品２１２の斜視図である。図１１は、図９に示したレンズ駆動装置２００をヨーク組立品２１１とホルダ組立品２１２とベース２０１に分解して表すものである。図１０（ａ）のように、ヨーク組立品２１１は、ヨーク２０８を基準として、スペーサ２０７と第２ばね２０６と磁石２０２とが配置されている。図１０（ｂ）のように、ホルダ組立品２１２は、ホルダ２０３を基準としてコイル２０５と第１ばね２０４が配置されている。図１１のように、レンズ駆動装置２００は、ベース２０１を基準として、ヨーク組立品２１１とホルダ組立品２１２が配置される。
【０００６】
このように、このレンズ駆動装置２００では、ヨーク組立品２１１とホルダ組立品２１２の各半製品の設計及び組立の基準がそれぞれ異なるため、組立のばらつきを考慮した設計が必要となり、部品間のクリアランス、例えば、コイル２０３と磁石２０２のクリアランス及びヨーク２０８とホルダ２０３のクリアランスを大きく設計しなければならないという問題があった。
【０００７】
更に、各半製品のクリアランスが大きいため、落下等による衝撃が大きくなり、レンズ駆動装置２００を構成する各部品の強度及び組立の接合強度、例えば、ヨーク２０８と磁石２０２の接合、及び、ベース２０１とヨーク２０８の接合の強度を強くしなければならないという問題もあった。
【０００８】
更に、従来のレンズ駆動装置２００の移動量は、下限がホルダ２０３とベース２０１との接触で規定され、上限がヨーク２０８の内側上面とホルダ２０３の突起との接触で規定されているが、上限値は、ベース２０１を基準として、基準の異なるホルダ組立品２１２とヨーク組立品２１１とによって規制されるため、組立及び部品のばらつきの影響が大きいという問題もあった。
【０００９】
更に、ホルダ２０３の回転方向の規制は、これも基準の異なるホルダ組立品２１２とヨーク組立品２１１とによって行われるため、組立及び部品のばらつきの影響が大きいという問題もあった。
【００１０】
更に、従来のレンズ駆動装置２００の第１ばね２０４の軸中心の位置決めは、ホルダ２０３の４つのボスによって行われ、また、第２ばね２０６の位置決めは、ヨーク組立品２１１に示すように、第２ばね２０６の外径とヨーク２０８の内径とによって行われ、かつ、レンズ駆動装置２００の基準となるベース２０１との組み合わせで行われるため、第１ばね２０４と第２ばね２０６との軸中心のずれが大きくなり、レンズの位置決めを精度よく行うことができないという問題もあった。
【００１１】
更に、組立においては、別々に組み立てたヨーク組立品２１１とホルダ組立品２１２とをベース２０１に組み立てるため、組立方法が煩雑になるという問題もあった。
【００１２】
更に、コイル２０５の２つの端末は、第１ばね２０４に直接電気的に接触している場合が多いが、直径が約６０μｍ程度の端末を組立時に処理することは困難であるという問題もあった。
【００１３】
本発明は、このような問題に基づきなされたものであり、ベースを基準として構成部品を組み付けることができ、組立によるばらつきを大幅に減少させることができるレンズ駆動装置及びその製造方法を提供することを目的とする。
【課題を解決するための手段】
【００１４】
本発明のレンズ駆動装置は、支持基板としてのベースと、このベースに対して位置決めして配置され、レンズユニットを内側に収納可能で、レンズユニットの光軸方向に沿って移動可能であり、ベースの側において外側に突出するようにフランジが設けられたホルダと、このホルダの外側に対して配設されたコイルと、このコイルの外側において、ベースに対して位置決めして配設され、コイルに磁界を提供する磁石と、ホルダを支持し、ベースに対して外周側が配設され、ホルダのフランジに対してベースの反対側に内周側が配設された第１ばねと、この第１ばねと間隔をあけて配置され、ホルダを支持し、磁石に対して外周側が配設され、ホルダに対して内周側が配設された第２ばねとを備えたものである。
【００１５】
本発明のレンズ駆動装置の製造方法は、支持基板としてのベースに対して位置決めし、レンズユニットを内側に収納可能で、レンズユニットの光軸方向に沿って移動可能であり、ベースの側において外側に突出するようにフランジが設けられたホルダを配置するホルダ配置工程と、ホルダ配置工程の後、ホルダを支持する第１ばねの外周側をベースに対して配設すると共に、第１ばねの内周側をホルダのフランジに対してベースとは反対側に配設する第１ばね配設工程と、第１ばね配設工程の後、ホルダの外側にコイルを配設するコイル配設工程と、ベースに対して位置決めし、コイルの外側に位置するように、コイルに磁界を提供する磁石を配設する磁石配設工程と、コイル配設工程及び磁石配設工程の後、ホルダを支持する第２ばねを第１ばねに対して間隔をあけて、外周側を磁石に対して配設すると共に、内周側をホルダに対して配設する第２ばね配設工程とを含むものである。
【発明の効果】
【００１６】
本発明のレンズ駆動装置によれば、ホルダをベースに対して位置決めして配置し、コイルをホルダに配設し、磁石をベースに対して位置決めして配設し、第１ばねは外周側をベースに対して配設し、内周側をホルダに対して配設し、第２ばねは外周側を磁石に対して配設し、内周側をホルダに対して配設するようにしたので、半製品が不要となり、ベースを基準とした設計及び組立を行うことができる。よって、組み合わせ時のばらつきを小さくすることができる。
【００１７】
これにより、構成部品間のクリアランス、例えば、コイルと磁石のクリアランスを小さくすることができる。また、クリアランスを小さくすることができるので、落下等による衝撃が小さくなり、構成部品の強度及び組み立ての接合強度を小さくすることができ、構成部品を小型化することができると共に、接着剤を減量することができる。
【００１８】
また、磁石及び第１ばねの外周側はベースに配設し、ホルダは第１ばねを介してベースに配設し、コイル及び第２ばねの内周側はホルダ及び第１ばねを介してベースに配設し、第２ばねの外周側は磁石を介してベースに配設しているので、光軸方向にレンズを移動させるという機能を達成することにおいては、従来のレンズ駆動装置では必要であったヨークやスペーサが不要となり、安価に作製することができる。
【００１９】
更に、ホルダのベースの側に外側に突出するように係止部を設け、この係止部をベースと磁石との間、又は、ベースと第１ばねの外周側との間に配置するようにすれば、ホルダの移動をベースと、ベースに配設された磁石又は第１ばねの外周側との間に規制することができるので、組立及び構成部品のばらつきの影響を減少させることができる。これにより、移動量のばらつきを小さくすることができ、最大移動量を小さく設定することができるようになり、落下等による衝撃を小さくすることができる。
【００２０】
また、回転方向の規制は、ベースとホルダの係止部とで行うことができ、組立及び構成部品のばらつきの影響を大幅に減少させることができる。これにより、回転方向の移動量を小さく設定することができ、落下等による衝撃を小さくすることができる。
【００２１】
加えて、ホルダの移動中心を決める第１ばね及び第２ばねの位置決めは、ホルダを基準として行うようにすれば、レンズの位置決めを精度よく行うことができ、ホルダの移動方向に対して垂直方向における位置ずれを小さくすることができる。
【００２２】
更にまた、巻線部と第１ばねとを電気的に接続する導電性プレートを有するようにすれば、コイルの端末の処理を簡素化することができる。
【００２３】
加えてまた、カバーを備えるようにすれば、磁気シールド又は防塵の機能をベースを基準として持たせることができる。
【００２４】
更にまた、本発明のレンズ駆動装置の製造方法によれば、ベースに対してホルダを位置決めして配置し、第１ばねの外周側をベースに対して配設すると共に、第１ばねの内周側をホルダに対して配設し、ホルダの外側にコイルを配設し、ベースに対して磁石を位置決めして配設し、第２ばねの外周側を磁石に対して配設すると共に、第２ばねの内周側をホルダに対して配設するようにしたので、ベースを基準として容易にかつ精度よく組み立てることができると共に、半製品が必要なくなり、半製品の一時保管及び搬送が不要となるため、安価で性能のよいレンズ駆動装置を提供することができる。
【図面の簡単な説明】
【００２５】
【図１】本発明の一実施の形態に係るレンズ駆動装置の外観構成を表す図であり、（ａ）は平面図、（ｂ）は正面図である。
【図２】図１に示したレンズ駆動装置の外観構成を表す斜視図であり、（ａ）はベースを下にして上方から見た斜視図、（ｂ）は下方から見た斜視図である。
【図３】図１に示したレンズ駆動装置の構成を表す分解斜視図である。
【図４】図３に示した第１ばね及びコイルの分解斜視図である。
【図５】図１に示したレンズ駆動装置の組立工程を表す斜視図である。
【図６】図５に続く組立工程を表す斜視図である。
【図７】図６に続く組立工程を表す斜視図である。
【図８】本発明の変形例を表す斜視図であり、（ａ）は外観図、（ｂ）は分解図である。
【図９】従来のレンズ駆動装置の構成を表す分解斜視図である。
【図１０】従来のレンズ駆動装置の半製品の構成を表す図であり、（ａ）はヨーク組立品の斜視図、（ｂ）はホルダ組立品の斜視図である。
【図１１】従来のレンズ駆動装置をヨーク組立品とホルダ組立品とベースとに分解して表す分解斜視図である。
【発明を実施するための形態】
【００２６】
以下、本発明の実施の形態について、図面を参照して詳細に説明する。
【００２７】
（一実施の形態）
図１は、本発明の一実施の形態に係るレンズ駆動装置１００の外観構成を表すものであり、（ａ）は平面図、（ｂ）は正面図である。図２は、図１に示したレンズ駆動装置１００の斜視外観構成を表すものであり、（ａ）はベース１０１を下にして上方から見た斜視図、（ｂ）は下方から見た斜視図である。図３は、図１に示したレンズ駆動装置１００の構成を分解して表すものである。図４は、図３に示した第１ばね１０４及びコイル１０５を分解して表すものである。このレンズ駆動装置１００は、支持基板としてのベース１０１の上に、磁石１０２とホルダ１０３と第１ばね１０４とコイル１０５と第２ばね１０６とを配置した構成を有している。このレンズ駆動装置１００は、例えば、ホルダ１０３に図示しないレンズユニットが装着され、ベース１０１の底面側は図示しない撮像ユニットに取り付けられる場合もある。
【００２８】
ベース１０１には、例えば、コイル１０５に通電するための２つの端子１１１が固着されており、中央部には、光学系の経路の対応する開口部１１２が形成されている。開口部１１２の周りには、例えば、磁石１０２の位置決めを行うための凹状または段差状の磁石位置決め部１１３が複数設けられている。磁石位置決め部１１３は、本実施の形態では、例えば、配設する磁石１０２の数に合わせて４つ設けられている。開口部１１２の周りには、また、例えば、第１ばね１０４の外周側の位置決めを行うための突起状の第１ばね位置決め部１１４が複数設けられている。第１ばね位置決め部１１４は、本実施の形態では、例えば、４つ設けられている。開口部１１２の周りには、また、例えば、ホルダ１０３に設けられた後述する係止部１３５を配置するための切欠き部１１５が複数設けられている。切欠き部１１５は、本実施の形態では、例えば、４つの磁石位置決め部１１３のうちの３つに対応して３つ設けられている。開口部１１２の周りには、また、ホルダ１０３の移動方向における位置決めを行うための突起状のホルダ位置決め部１１６が複数設けられている。ホルダ位置決め部１１６は、本実施の形態では、例えば、約１２０度の間隔をあけて３つ設けられている。
【００２９】
磁石１０２は、例えば、概略長方形の板状であり、ベース１０１に形成された磁石位置決め部１１３によりガイドされて、ベース１０１に対して位置決めして配設され、固定されている。磁石１０２は、例えば、ベース１０１に対して複数配設されており、本実施の形態では４つ配設されている。磁石１０２は、コイル１０５に磁界を提供するためのものであり、コイル１０５の外側に配置されている。
【００３０】
ホルダ１０３は、例えば、筒状であり、ベース１０１に形成されたホルダ位置決め部１１６によりガイドされて、ベース１０１に対して位置決めして配置されている。ホルダ１０３は、図示しないレンズユニットを内側に収納可能であり、レンズユニットの光軸方向に沿って移動可能となっている。ホルダ１０３の外周部１３１は、例えば、第１ばね１０４の内周部及びコイル１０５の内周部と軽嵌合し、ホルダ１０３の移動方向に対して垂直方向における第１ばね１０４及びコイル１０５の位置決めを行うようになっている。ホルダ１０３の外周部１３１には、ホルダ１０３の移動方向においてコイル１０５の位置決めをするための突起状のコイル位置決め部１３２が複数設けられている。ホルダ１０３の外周部１３１には、また、ベース１０１の側において外側に突出するようにフランジ１３４が設けられている。フランジ１３４は、例えば、第１ばね１０４を配設するためのものであり、ベース１０１とは反対側の面において、ホルダ１０３の移動方向における第１ばね１０４の位置決めがされ、第１ばね１０４の内周側が配設されている。なお、フランジ１３４のベース１０１と反対側の面には、第１ばね１０４を容易に配設するための突出部を設けるようにしてもよい。
【００３１】
ホルダ１０３の外周部１３１には、更に、例えば、ベース１０１の側においてフランジ１３４から外側に突出するように複数の係止部１３５が設けられている。係止部１３５は、本実施の形態では、例えば、３つ設けられている。係止部１３５は、例えば、ベース１０１に形成された切欠き部１１５において、ベース１０１と、ベース１０１の上に配設された磁石１０２との間に配置されている。これによりホルダ１０３の移動方向における移動は、係止部１３５がベース１０１に当接する位置から磁石１０２に当接する位置までに規制され、回転方向における位置ずれは切欠き部１１５により規制されるようになっている。ホルダ１０３のベース１０１と反対側には、例えば、第２ばね１０６を位置決めするための段差状の第２ばね位置決め部１３６が外周に沿って設けられている。
【００３２】
第１ばね１０４は、ホルダ１０３を支持するためのものである。第１ばね１０４は、例えば、板ばねにより構成され、ホルダ１０３の周りを囲むように形成されている。第１ばね１０４の内周側は、ホルダ１０３の外周部１３１及びフランジ１３４をガイドとして位置決めされ、ホルダ１０３のフランジ１３４に対してベース１０１の反対側に配設されて、固定されている。これにより、第１ばね１０４は、ホルダ１０３の中心軸を基準として位置決めされている。第１ばね１０４の外周側には、例えば、ベース１０１に形成された第１ばね位置決め部１１４に対応して孔状の第１ばねベース位置合わせ部１４１が複数設けられている。第１ばね１０４の外周側は、例えば、第１ばねベース位置合わせ部１４１をベース１０１の第１ばね位置決め部１１４に嵌合することにより位置合わせされ、ベース１０１に対して配設されて、固定されている。また、第１ばね１０４は、例えば、周方向において２つの第１ばね分割片１４２に分割されている。一方の第１ばね分割片１４２は、例えば、ベース１０１の一方の端子１１１及びコイル１０５の後述する一方の第１ばね接続用端子１５３と電気的に接続され、他方の第１ばね分割片１４２は、例えば、ベース１０１の他方の端子１１１及びコイル１０５の後述する他方の第１ばね接続用端子１５２と電気的に接続されている。
【００３３】
コイル１０５は、ホルダ１０３の外側に配設されており、例えば、巻線を８角形状に巻回した巻線部１５１と、巻線部１５１と第１ばね１０４とを電気的に接続する導電性プレート１５２とを有している。導電性プレート１５２は、例えば、２つの第１ばね分割片１４２にそれぞれ対応して、周方向において２つに分割して設けられている。各導電性プレート１５２には、例えば、各第１ばね分割片１４２と電気的に接続するための第１ばね接続用端子１５３と、巻線部１５１の２つの端末と電気的に接続するための巻線接続用端子１５４とが、それぞれ個別に設けられている。各導電性プレート１５２には、また、例えば、ホルダ１０３の移動方向において第１ばね１０４の内周側を固定するための位置固定端子１５５が１又は複数設けられている。なお、導電性プレート１５２は、例えば、巻線部１５１の巻線時に一体的に加工されることにより形成され、巻線部１５１の２つの端末は、各導電性プレート１５２の各巻線接続用端子１５４と、巻線部１５１の加工時に電気的に接続されることが好ましい。
【００３４】
第２ばね１０６は、第１ばね１０４とホルダ１０３の移動方向において間隔をあけて配置され、第１ばね１０４と共に、ホルダ１０３を支持するものである。第２ばね１０６は、例えば、板ばねにより構成され、ホルダ１０３に対応した環状に形成されている。第２ばね１０６の内周側は、ホルダ１０３に形成された第２ばね位置決め部１３６をガイドとして位置決めされ、ホルダ１０３のベース１０１と反対側に配設されて、固定されている。これにより、第２ばね１０６は、ホルダ１０３の中心軸を基準として位置決めされている。第２ばね１０６の外周側は、磁石１０２に対して配設され、固定されている。
【００３５】
このように、このレンズ駆動装置１００では、例えば、第１ばね１０４の外周側及び磁石１０２はベース１０１に直接固定され、ホルダ１０３はホルダ１０３に固定された第１ばね１０４を介してベース１０１に固定され、第２ばねの内周側及びコイル１０５はホルダ１０３及び第１ばね１０４を介してベースに固定され、第２ばね１０６の外周側は磁石１０２を介してベース１０１に固定されている。すなわち、光軸方向にレンズを移動させるという機能を達成するための全ての構成部品、具体的には、磁石１０２、ホルダ１０３、第１ばね１０４、コイル１０５、及び、第２ばね１０６は、ベース１０１を基準として固定されている。
【００３６】
このレンズ駆動装置１００は、例えば、次のようにして組み立てることにより製造することができる。図５から図６は、図１に示したレンズ駆動装置１００の各組立工程を表すものである。まず、例えば、図５（ａ）に示したように、ベース１０１を図示しない治具に載置し、ベース１０１の上にホルダ１０３を配置する。ホルダ１０３は、例えば、係止部１３５をベース１０１の切り欠き部１１５に対応させて、ホルダ位置決め部１１６により位置決めする。
【００３７】
次いで、例えば、図５（ｂ）に示したように、第１ばね１０４の内周をホルダ１０３の外周部１３１に合わせて挿入しながら、第１ばね１０４の外周側に設けられた第１ばねベース位置合わせ部１４１をベース１０１の第１ばね位置決め部１１４に嵌合する。続いて、各第１ばね分割片１４２と、ベースの各端子１１１とを、個別に電気的にそれぞれ接続する。
【００３８】
次に、例えば、図６（ａ）に示したように、ホルダ１０３の外周部１３１及びコイル位置決め部１３２をガイドとして、ホルダ１０３の外側にコイル１０５を嵌合し、位置決めして、コイル１０５とホルダ１０３とを接着固定する。その後、コイル１０５の各第１ばね接続用端子１５３と、各第１ばね分割片１４２とを、個別に電気的にそれぞれ接続する。次いで、例えば、図６（ｂ）に示したように、磁石１０２をベース１０１の磁石位置決め部１１３をガイドとして位置決めし、ベース１０１に接着固定する。
【００３９】
続いて、例えば、図７に示したように、第２ばね１０６の内周側をホルダ１０３の第２ばね位置決め部１３６をガイドとして位置決めし、ホルダ１０３に固定する。また、第２ばね１０６の外周側を磁石１０２に固定する。これにより、本実施の形態に係るレンズ駆動装置１００が組み立てられる。このように、このレンズ駆動装置１００の組立は、ベース１０１に各構成部品、具体的には、磁石１０２、ホルダ１０３、第１ばね１０４、コイル１０５、及び、第２ばね１０６を順次積み上げる方式で行うことができる。
【００４０】
このように、本実施の形態によれば、ホルダ１０３をベース１０１に対して位置決めして配置し、コイル１０５をホルダ１０３に配設し、磁石１０２をベース１０１に対して位置決めして配設し、第１ばね１０４は外周側をベース１０１に対して配設し、内周側をホルダ１０３に対して配設し、第２ばね１０６は外周側を磁石１０２に対して配設し、内周側をホルダ１０３に対して配設するようにしたので、半製品が不要となり、ベース１０１を基準とした設計及び組立を行うことができる。よって、組み合わせ時のばらつきを小さくすることができる。
【００４１】
これにより、構成部品間のクリアランス、例えば、コイル１０５と磁石１０２のクリアランスを小さくすることができる。また、クリアランスを小さくすることができるので、落下等による衝撃が小さくなり、構成部品の強度及び組み立ての接合強度を小さくすることができ、構成部品を小型化することができると共に、接着剤を減量することができる。
【００４２】
また、磁石１０２及び第１ばね１０４の外周側はベース１０１に配設し、ホルダ１０３は第１ばね１０４を介してベース１０１に配設し、コイル１０５及び第２ばね１０６の内周側はホルダ１０３及び第１ばね１０４を介してベース１０１に配設し、第２ばね１０６の外周側は磁石１０２を介してベース１０１に配設しているので、光軸方向にレンズを移動させるという機能を達成することにおいては、従来のレンズ駆動装置２００では必要であったヨーク２０８やスペーサ２０７が不要となり、安価に作製することができる。
【００４３】
更に、ホルダ１０３のベース１０１の側に外側に突出するように係止部１３５を設け、この係止部１３５をベース１０１と磁石１０２との間に配置するようにすれば、ホルダ１０３の移動をベース１０１と、ベース１０１に配設された磁石１０２との間に規制することができるので、組立及び構成部品のばらつきの影響を減少させることができる。これにより、移動量のばらつきを小さくすることができ、最大移動量を小さく設定することができるようになり、落下等による衝撃を小さくすることができる。
【００４４】
また、回転方向の規制は、ベース１０１とホルダ１０３の係止部１３５とで行うことができ、組立及び構成部品のばらつきの影響を大幅に減少させることができる。これにより、回転方向の移動量を小さく設定することができ、落下等による衝撃を小さくすることができる。
【００４５】
加えて、ホルダ１０３の移動中心を決める第１ばね１０４及び第２ばね１０６の位置決めは、ホルダ１０３を基準として行うようにすれば、レンズの位置決めを精度よく行うことができ、ホルダ１０３の移動方向に対して垂直方向における位置ずれを小さくすることができる。
【００４６】
更にまた、巻線部１５１と第１ばね１０４とを電気的に接続する導電性プレート１５２を有するようにすれば、コイルの端末の処理を簡素化することができる。
【００４７】
加えてまた、ベース１０１に対してホルダ１０３を位置決めして配置し、第１ばね１０４の外周側をベース１０１に対して配設すると共に、第１ばね１０４の内周側をホルダ１０３に対して配設し、ホルダ１０３の外側にコイル１０５を配設し、ベース１０１に対して磁石１０２を位置決めして配設し、第２ばね１０６の外周側を磁石１０２に対して配設すると共に、第２ばね１０６の内周側をホルダ１０３に対して配設するようにしたので、ベース１０１を基準として容易にかつ精度よく組み立てることができると共に、半製品が必要なくなり、半製品の一時保管及び搬送が不要となるため、安価で性能のよいレンズ駆動装置１００を提供することができる。
【００４８】
（変形例）
図８は本発明の変形例に係るレンズ駆動装置３００を表すものであり、（ａ）は外観図、（ｂ）は分解図である。このレンズ駆動装置３００は、上述したレンズ駆動装置１００に、磁気シールド又は防塵の少なくとも一方を目的とするカバー３０１を備えたことを除き、他は同一の構成を有している。カバー３０１は、例えば、ベース１０１の側が開口された箱形状を有している。カバー３０１のベース１０１と反対側には、例えば、中央に円形状の開口部３１１が設けられている。カバー３０１は、ベース１０１の外径をガイドとしてベース１０１に配設され、ベース１０１を基準として組み立てることが可能である。また、ベース１０１に、ホルダ１０３の移動方向におけるカバー３０１の位置決めを行うための段差状などのカバー位置決め部を設けるようにすれば、カバー３０１をベース１０１に対してより確実に位置決めすることができるので好ましい。なお、カバー３０１を磁性材料で形成するようにすれば、磁気シールド及び防塵をすることができ、非磁性材料で構成するようにすれば、防塵のみが可能となる。
【００４９】
以上、実施の形態を挙げて本発明を説明したが、本発明は上記実施の形態に限定されるものではなく、種々変形可能である。上記実施の形態において、図面に示した大きさや形状、又は、使用方法等については、これに限定されず、本発明の効果を発揮する範囲内で適宜変更することが可能である。
【００５０】
例えば、上記実施の形態では、レンズ駆動装置１００，３００では、ホルダ１０３の係止部１３５をベース１０１と磁石１０２との間に配置する場合について説明したが、これに限定されず、ベース１０１と第１ばね１０４の外周側との間に配置するようにしてもよい。これによっても、同様の効果を得ることができる。
【００５１】
また、例えば、上記実施の形態では、レンズ駆動装置１００，３００は、ベース１０１が下側に配置され、ベース１０１の下に撮像素子が配置される場合を前提として説明したが、これに限定されず、手振れ防止機能を付加する構成では、上下逆転し、ベース１０１が上側、第２ばね１０６が下側に配置され、第２ばね１０６の下に撮像素子が配置されてもよい。
【００５２】
更に、上記実施の形態では、レンズ駆動装置３００は、カバー３０１と磁石１０２との間に空間を有しているが、図示しないスペーサを追加してもよく、また、カバー３０１の一部を使用して空間を埋めるようにしてもよい。
【産業上の利用可能性】
【００５３】
携帯電話及びパソコン等のカメラ付小型電子機器に使用することができる。
【符号の説明】
【００５４】
１００…レンズ駆動装置、１０１…ベース、１０２…磁石、１０３…ホルダ、１０４…第１ばね、１０５…コイル、１０６…第２ばね、１１１…端子、１１２…開口部、１１３…磁石位置決め部、１１４…第１ばね位置決め部、１１５…切欠き部、１１６…ホルダ位置決め部、１３１…外周部、１３２…コイル位置決め部、１３４…フランジ、１３５…係止部、１３６…第２ばね位置決め部、１４１…第１ばねベース位置合わせ部、１４２…第１ばね分割片、１５１…巻線部、１５２…導電性プレート、１５３…第１ばね接続用端子、１５４…巻線接続用端子、１５５…位置固定端子、２００…レンズ駆動装置、２０１…ベース、２０２…磁石、２０３…ホルダ、２０４…第１ばね、２０５…コイル、２０６…第２ばね、２０７…スペーサ、２０８…ヨーク、２１１…ヨーク組立品、２１２…ホルダ組立品、３００…レンズ駆動装置、３０１…カバー、３１１…開口部
【図１】
2015014796.tif 000003
【図２】
2015014796.tif 000004
【図３】
2015014796.tif 000005
【図４】
2015014796.tif 000006
【図５】
2015014796.tif 000007
【図６】
2015014796.tif 000008
【図７】
2015014796.tif 000009
【図８】
2015014796.tif 000010
【図９】
2015014796.tif 000011
【図１０】
2015014796.tif 000012
【図１１】
2015014796.tif 000013